(57)【要約】【課題】ボックス内にローラーを複数配設することなく、トイレット等のロール巻きペーパーの外径部を回転自在に支持し得る安価なローラ巻きペーパーボックスを提供する。【解決手段】ロール巻きペーパーを収納できるように形成し、上面に開閉自在な蓋を設けたボックス１内でロール巻きペーパー２を回転自在に支持し、閉じた蓋の上面へのロール巻きペーパーの端部２ａを引き出して引張り切断するようにしたロール巻きペーパーボックスにおいて、ロール巻きペーパーを回転自在に支持する滑りガイド３，３，…が、ボックス１内の底面と壁面に凸設させて装着されてなる。前記滑りガイド３は、テープ状の平板をボックス内の底面と壁面に凸設させて略等間隔に複数配設して装着する。或いは前記滑りガイドを、略等間隔に複数の凸設部を設けた幅広の波板状に形成して、ボックス１内の底面と壁面の内径に嵌め込むように形成して装着する。【選択図】図１
0003123806.tif 000002
【実用新案登録請求の範囲】
【請求項１】
ロール巻きペーパーを収納できるように形成し、上面に開閉自在な蓋を設けたボックス内でロール巻きペーパーを回転自在に支持し、閉じた蓋の上面へロール巻きペーパーの端部を引き出して引張り切断するようにしたロール巻きペーパーボックスにおいて、ロール巻きペーパーを回転自在に支持する滑りガイドが、ボックス内の底面と壁面に凸設させて装着されてなることを特徴とするロール巻きペーパーボックス。
【請求項２】
前記滑りガイドは、テープ状の平板をボックス内の底面と壁面に凸設させて、略等間隔に複数配設して装着されてなることを特徴とする請求項１記載のロール巻きペーパーボックス。
【請求項３】
前記滑りガイドが、略等間隔に複数の凸設部を設けた幅広の波板状に形成され、ボックス内の底面と壁面の内径に嵌め込むように形成して装着されてなることを特徴とする請求項１記載のロール巻きペーパーボックス。
【請求項４】
前記滑りガイドが、ボックス内の底面とロール巻きペーパーの引き出し側の壁面にＬ字状に装着されてなることを特徴とする請求項１乃至請求項３のいずれか１項に記載のロール巻きペーパーボックス。
【考案の詳細な説明】
【技術分野】
【０００１】
本考案は、トイレット等のロール巻きペーパーを収納し、必要なだけ引き出して使用するようにしたロール巻きペーパーボックスに関するものである。
【背景技術】
【０００２】
ロール巻きペーパーを収納し、必要なだけ引き出して使用するようにしたものとして、例えばトイレットペーパーが収納できるように一側面が開口した収納箱と、該収納箱の開口部に嵌合する蓋と、該蓋と、蓋に対向する位置にそれぞれ設けられた軸受穴と、両端にストッパー機能を有し、前記軸受穴に通して架けられる軸体と、前記収納箱に設けられたトイレットペーパー取り出し穴とにより構成されるトイレットペーパー用ティッシュ箱（特許文献１参照）や、巻きロールを収納するための収納空間を持った本体に開閉自在な蓋を取着し、本体の両側壁には軸受けを形成し、巻きロールの軸孔に挿通した軸芯を前記軸受けに軸支して、巻きロールを巻戻すことでペーパーの引出しを可能とするロール巻きペーパーの引出しケース（特許文献２参照）、本体の左右側板内側に芯棒を受けるＵ字溝を形成し、本体の前板先端に紙切り歯を形成し、蓋板に紙出し孔を形成すると共に、蓋板の下面にロール紙の滑りを防止する吸着体を付設した吸着体付きの卓上ロール紙容器（特許文献３参照）等が開示され、公知となっている。
【０００３】
【特許文献１】特開２００２−１７６０９号公報
【特許文献２】実開平６−７５２９５号公報
【特許文献３】実用新案登録第３０２１０７４号公報
【考案の開示】
【考案が解決しようとする課題】
【０００４】
上記特許文献１〜３に記載されているように、従来、ロール巻きペーパーは、その内径穴に、軸体や軸芯、芯棒といったものを挿入して回転自在に支持されるのが一般的であったため、専用の軸体や軸芯、芯棒を必要とし、該軸体や軸芯、芯棒をロール巻きペーパーの内径穴に挿入してボックスやケース等の収納容器内の軸受穴や溝に両端部を嵌め込まなければならないといった面倒な手間を要していった。このような問題を解消すべく本考案者は、ロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーの外径部を下方から回転自在にバックアップ支持する複数のローラーが配設されてなるロール巻きペーパーボックスを考案し、実用新案登録第３１２１１６８号公報にて開示しており、その目的を達成するには至ったが、ボックス内にローラーを複数配設するのが甚だ厄介で、且つ安価にできないなどの問題があり、本考案はこのような問題を解決することを目的とし、該目的を達成することを課題とするものである。
【課題を解決するための手段】
【０００５】
上記目的を達成するために、本考案は以下に記載するような手段、すなわち、ロール巻きペーパーを収納できるように形成し、上面に開閉自在な蓋を設けたボックス内でロール巻きペーパーを回転自在に支持し、閉じた蓋の上面へロール巻きペーパーの端部を引き出して切断するようにしたロール巻きペーパーボックスにおいて、ロール巻きペーパーを回転自在に支持する滑りガイドが、ボックス内の底面と壁面に凸設させて装着されてなることを特徴とする。滑りガイドにロール巻きペーパーの外径部を当接させて回転自在に支持するようにした。
【０００６】
前記滑りガイドは、テープ状の平板をボックス内の底面と壁面に凸設させて略等間隔に複数配設して装着されてなることを特徴とするもので、摺り面の摩擦が小さいテープ状の平板の裏面を接着剤等で付着させて配設する。或いは、前記滑りガイドが、略等間隔に複数の凸設部を設けた幅広の波板状に形成され、ボックス内の底面と壁面の内径に嵌め込むように形成して装着されることにより、裏面装着テープ等で付着させることなくボックス内に着脱自在に装着できる。
【０００７】
又、前記滑りガイドは、ボックス内の底面とロール巻きペーパーの引き出し側の壁面にＬ字状に装着すれば良い。ロール巻きペーパーの端部を引張ると、ロール巻きペーパーが引き出し側へ片寄って当接し、回転するからであるが、引き出し側と反対側の壁面及び底面にコ字状に装着するようにしても構わない。
【考案の効果】
【０００８】
本考案は、上記手段にて記載する如く、ロール巻きペーパーを回転自在に支持する滑りガイドが、テープ状の平板で、ボックス内の底面と壁面に接着剤又は接着テープ等で付着させるだけであるから、取付け装着が容易であり、且つ安価にできる。
【０００９】
又、滑りガイドを、略等間隔に複数凸設部を設けた幅広の波板状に形成し、ボックス内の底面と壁面の内径に嵌め込むように形成すれば、ボックス内への滑りガイドが着脱自在となり、滑りガイドを取り外すことによりボックス内の掃除がやりやすくなると共に、ボックスのみの利用にも供することができる。
【考案を実施するための最良の形態】
【００１０】
本考案を実施するための最良の形態を、以下実施例を示す図面に基づいて詳細に説明する。
【実施例１】
【００１１】
図１は、本考案の実施例を示す側断面図であり、図２は、図１のＡ−Ａ矢視平面図である。図１及び図２に図示するように、ボックス１は、ロール巻きペーパー２を収納できるように１Ａ，１Ａ、１Ｂ，１Ｂと、底板１Ｃで形成され、上面には蓋１Ｄ，１Ｅが開閉自在にして設けてあり、ボックス内には、ロール巻きペーパー２を回転自在に支持する滑りガイド３，３，…が底面と壁面に凸させて装着されている。
【００１２】
そして、前記滑りガイド３，３，…で回転自在に支持されたロール巻きペーパー２は、閉じられた蓋１Ｄ，１Ｅの閉じ目Ｓから端部２ａを蓋の上面へ引き出し、蓋１Ｄを押え付けるようにして止め、蓋１Ｅのエッジに当てて引張り切断するようにしてある。
なお、トイレットペーパーによっては、切断しやすくするため切り目の入ったものがあり、その場合はエッジに当てなくても引張るだけで切り目に沿って切断できる。
【００１３】
ボックス１の上面に設けた蓋１Ｄ，１Ｅは、片端部を蝶番４，４，…で取付けて観音開き状に開閉するようにし、別端部に傾斜面１ｄ，１ｅを形成して、閉じた時の閉じ目Ｓがボックスの略中央位置で傾斜面により当接するようにしてあり、蓋１Ｄ，１Ｅを開けてロール巻きペーパー２をボックス内に投入すると、滑りガイド３，３，…で回転自在に支持され、ロール巻きペーパーの端部２ａを上方へ引き出して蓋１Ｄ，１Ｅを閉じるようにしてある。本実施例図では蓋１Ｅを閉じてから蓋１Ｄを閉じて閉じ目Ｓが形成されるように傾斜面１ｄ，１ｅが形成されていて、蓋１Ｄを押え付けることによりロール巻きペーパーの引き出し部が止められるようにしてあり、引き出した端部２ａは蓋１Ｅの方へ引張るようにしてある。
【００１４】
前記滑りガイド３，３，…は、テープ状の平板で、表面は滑りやすく仕上げられているのが望ましく、ボックス１内の底面と壁面に接着剤や接着テープ等で裏面を付着して略等間隔に複数（本実施例図では四箇所）配設する。ロール巻きペーパー２は、端部２ａを引張ると引き出し側の方へ片寄るので、ボックス内の底面と引き出し側の壁面に滑りガイド３，３，…を配設して、ロール巻きペーパー２の外径部が当接し、回転自在に支持されるようにしてあるが、引き出し側と反対側の壁面にも付着しても構わない。その図１のＡ−Ａ矢視平面図は図２の（ｂ）に示すようになる。
【００１５】
図３は、以上のようにしてなる滑りガイド３の実施形態を示す斜視図で、図３の（ａ）は、底面付着部３ａと片側の壁面付着部３ｂを有するＬ字状に形成されたもの、図３の（ｂ）は、底面付着部３ａと両側の壁面付着部３ｂ，３ｂを有するコ字状に形成されたもので、このように一体に形成して付着しても良く、又底面付着部３ａと壁面付着部３ｂを切り離してそれぞれ付着しても良い。滑りガイド３は合成樹脂又は木質材のテープ状の平板で、ロール巻きペーパーの外径部が当接する表面は滑りやすく表面仕上げするのが望ましく、裏面を接着剤又は裏面接着テープ等で付着する。市販されている敷居すべりのようなテープを付着しても良い。
【００１６】
又、前記滑りガイド３は、図４に示すように一体に成型してボックス内に嵌め込むようにすれば、裏面を付着することなくボックス内に着脱自在に装着できる。図４の（ａ）は、底面装着部３ｃと、片側の壁面装着部３ｄを有するＬ字状の滑りガイド３Ａである。図４の（ｂ）に示すように、底面装着部３ｃと、両側の壁面装着部３ｄ，３ｄを有するコ字状に形成された滑りガイド３Ａにしても良い。底面装着部３ｃと壁面装着部３ｄには、略等間隔に複数（四箇所）の凸設部３ｅ，３ｅ，…を設けて、幅広の波板状に形成してあり、外径寸法（Ｘ，Ｙ，Ｚ）がボックスの内径より僅かに小さくして着脱自在に嵌め込むようにしてある。前記滑りガイド３Ａは、合成樹脂等の一体成型により製作する。或いは、波板状に成型された既製品を切断したり、曲げたりして製作しても良い。
【００１７】
図５は、前記滑りガイド３Ａを、ボックス１内に装着して、ロール巻きペーパー２を支持した場合の図１のＡ−Ａ矢視平面図であり、図５の（ａ）は、前記図４の（ａ）の装着であり、図５の（ｂ）は前記図４の（ｂ）の装着である。ロール巻きペーパー２を取り出した状態で、滑りガイド３Ａはボックス１内に着脱自在となる。
【００１８】
図６は、以上のようにしてボックス１内に滑りガイドを装着し、ロール巻きペーパーを入れて、ロール巻きペーパーの端部２ａを引き出した状態の外観を表わす斜視図である。
【図面の簡単な説明】
【００１９】
【図１】本考案の実施例を示す側断面図である。
【図２】図１のＡ−Ａ矢視平面図である。
【図３】滑りガイドの実施形態を示す斜視図である。
【図４】滑りガイドの実施形態を示す斜視図である。
【図５】図４の滑りガイドを装着した図１Ａ−Ａ矢視平面図である。
【図６】ロール巻きペーパーの端部を引き出した状態の外観斜視図である。
【符号の説明】
【００２０】
１  ボックス
１Ａ，１Ｂ  側板
１Ｃ  底板
１Ｄ，１Ｅ  蓋
１ｄ，１ｅ  傾斜面
２  ロール巻きペーパー
２ａ  端部
３，３Ａ  滑りガイド
３ａ  底面付着部
３ｂ  壁面付着部
３ｃ  底面装着部
３ｄ  壁面装着部
３ｅ  凸設部
４  蝶番
【図１】
0003123806.tif 000003
【図２】
0003123806.tif 000004
【図３】
0003123806.tif 000005
【図４】
0003123806.tif 000006
【図５】
0003123806.tif 000007
【図６】
0003123806.tif 000008